(57)【要約】【課題】線量管理機能を有する医用装置において、患者への局所被曝を低減させること。【解決手段】線量管理機能を有する医用装置１００は、人体を３Ｄモデルとして表現した形状の異なる複数のモデルから所要のモデルを設定するモデル設定手段１１ｃと、放射線の照射条件に基づいて、モデル設定手段１１ｃによって設定されたモデルの体表位置ごとに、第１積算線量の線量分布を求め、第１積算線量の線量分布に関する情報を第１積算線量分布ＤＢ１８に登録する登録手段１１ｅと、複数の第１積算線量の線量分布を積算して、モデルの体表位置ごとに、第２積算線量の線量分布を求める第２積算線量分布算出手段１１ｈと、第１積算線量及び前記第２積算線量の線量分布を表示する表示部１６と、を有する。【選択図】  図２
2015100417.tif 000002
【特許請求の範囲】
【請求項１】
人体を３Ｄモデルとして表現した形状の異なる複数のモデルから所要のモデルを設定するモデル設定手段と、
放射線の照射条件に基づいて、前記モデル設定手段によって設定されたモデルの体表位置ごとに、第１積算線量の線量分布を求める第１積算線量分布算出手段と、
前記第１積算線量の線量分布に関する情報を記憶する記憶手段と、
複数の前記第１積算線量の線量分布を積算して、前記モデルの体表位置ごとに、第２積算線量の線量分布を求める第２積算線量分布算出手段と、
前記第１積算線量及び前記第２積算線量の線量分布を表示部に表示させる表示手段と、
を有する、線量管理機能を有する医用装置。
【請求項２】
積算の対象となる積算期間を設定する条件設定手段をさらに有する請求項１に記載の医用装置。
【請求項３】
前記条件設定手段は、前記複数の第１積算線量の線量分布がそれらの時間情報に基づいて時系列に並べられたグラフを含む条件設定画面上で、入力部を介して選択された期間に基づいて、前記積算期間条件を設定する請求項２に記載の医用装置。
【請求項４】
前記第２積算線量分布算出手段は、前記複数の第１積算線量の線量分布を、現在からの経過時間に従って変化する係数に基づいてそれぞれ補正して、補正後の複数の第１積算線量の線量分布を前記体表位置ごとに積算する請求項１に記載の医用装置。
【請求項５】
前記第２積算線量分布算出手段は、線形関数、指数関数、対数関数、またはそれらの組み合わせによって形成される前記係数を用いて前記複数の第１積算線量の線量分布をそれぞれ補正する請求項４に記載の医用装置。
【請求項６】
前記第２積算線量分布算出手段は、前記係数を、入力部を介して修正した後の係数を用いて前記複数の第１積算線量の線量分布をそれぞれ補正する請求項５に記載の医用装置。
【請求項７】
前記グラフの縦軸は、前記複数の第１積算線量の線量分布からそれぞれ求められる全体における最大の第１積算線量または最大の第２積算線量、特定領域における最大の第１積算線量または最大の第２積算線量、または、単位時間当たりの照射線量の強さの平均である請求項３に記載の医用装置。
【請求項８】
前記グラフの縦軸は、入力部を介して変更可能である請求項７に記載の医用装置。
【請求項９】
前記条件設定手段は、部位ごとに異なる積算期間を設定する請求項２に記載の医用装置。
【請求項１０】
前記表示手段は、前記複数の第１積算線量の線量分布の組み合わせに応じて異なる複数の第２積算線量の線量分布を表示させる請求項２に記載の医用装置。
【請求項１１】
前記表示手段は、前記複数の第２積算線量の線量分布のうち、積算期間が最も現在に近い組み合わせを拡大して表示し、その他を縮小して表示させる請求項１０に記載の医用装置。
【請求項１２】
前記表示手段は、画像サーバに保管された前記被検体に関する過去の診断画像、光学画像、カルテ、及び診断レポートのうち少なくとも１の画像を表示させる請求項１に記載の医用装置。
【請求項１３】
前記モデル設定手段によって設定されたモデルの体表位置ごとに、複数フレームの各フレームまでの被検体への照射線量の累計である累計線量を対応付けた累計線量の線量分布の複数からなる累計線量の線量分布のセットを求める累計線量分布セット算出手段と、
前記累計線量の線量分布のセットに関する情報を記憶する記憶手段と、
前記累計線量の線量分布のセットを再生する再生手段と、
をさらに有する請求項２に記載の医用装置。
【請求項１４】
前記再生手段は、前記累計線量の線量分布のセットの再生タイミングを調整するためのシークバーを表示させ、前記シークバーに、前記累計線量の線量分布のセットに付帯された撮影タイミングの情報を示す請求項１３に記載の医用装置。
【請求項１５】
前記再生手段は、前記累計線量の線量分布のセットに含まれる複数の最大累計線量の時系列推移を示すグラフを表示させる請求項１３に記載の医用装置。
【請求項１６】
前記グラフは、任意のフレームを選択するためのスライドバーを含み、フレーム間の最大累計線量の変化が閾値以上であるフレームに対応する累計線量の線量分布を表示させる請求項１５に記載の医用装置。
【発明の詳細な説明】
【技術分野】
【０００１】
本発明の一態様としての本実施形態は、被検体の照射線量を表示する線量管理機能を有する医用装置に関する。
【背景技術】
【０００２】
現在、米国・欧州を中心に放射線画像検査による被曝の増加が問題視されており、患者の被曝低減が顧客の課題となっている。米国民の総被曝線量は１９８０年と比較して６倍に増加している。米国医療物理学会は医師に対して不必要な放射線画像検査を行なわないよう警告している。また、米国の検査技師に対してはより低線量な検査を行なうよう教育が進められている。
【０００３】
医師や技師は、患者への被曝の影響を最小限に抑えるために、患者の過去・未来の被曝量を考慮して検査条件を設定している。例えば、患者が前回検査時に多量の被曝をしており、前回検査から時間があまり経過していない場合、患者への放射線障害を最低限に抑えるために、医師や技師は低被曝な検査を実施したい。
【０００４】
検査中／治療中の患者に対する照射線量を可視化するシステムが開発されている。このシステムは、検査中／治療中に、患者に対する１検査／１治療における積算の照射線量（第１積算線量）をリアルタイムに表示するものである。
【先行技術文献】
【特許文献】
【０００５】
【特許文献１】特開２０１２−１３０４３６号公報
【発明の概要】
【発明が解決しようとする課題】
【０００６】
検査中／治療中の患者に対する照射線量を可視化するシステムでは、検査／治療直前に、第１積算線量をマッピングするための、人体を３Ｄモデルとして表現したモデル（患者モデル）が設定される。その設定は、患者の体型（身長、体重）に応じたモデルの選択に基づくものであるが、患者の体型は時間によって変化するため、複数検査／複数治療で異なるモデルが選択される場合がある。異なる複数のモデルにおいて、複数検査／複数治療に亘る積算の照射線量（第２積算線量）が算出される場合、モデル間で位置ずれが発生してしまい、正確な第２積算線量を算出・表示することができない。正確な第２積算線量が算出・表示されない場合、検査計画時／治療計画時に操作者が第２積算線量を見誤り、患者への局所被曝による皮膚の火傷を招く可能性がある。
【０００７】
また、モデルの設定は、操作者によるモデルの選択に基づく場合もある。その場合、患者の体型が時間によって変化しないときであっても、複数検査／複数治療で異なるモデルが選択されることがある。
【０００８】
さらに、検査中／治療中の患者に対する照射線量を可視化するシステムは、第１積算線量を得るための積算単位が１検査／１治療である場合を想定しているが、第１積算線量を得るための積算単位が検査の１部分／治療の１部分である場合や、複数検査／複数治療である場合も考えられる。例えば、後者の場合、複数検査／複数治療における積算の照射線量が第１積算線量となり、複数の第１積算線量に亘る積算の照射線量が第２積算線量となる。これらの場合も、複数の第１積算線量の間でモデルが異なると、モデル間で位置ずれが発生してしまい、正確な第２積算線量を算出・表示することができない。
【０００９】
加えて、従来技術によると、操作者やシーンによって積算線量の算出方法や表示方法が異なるため、積算線量の判断が操作者にとって困難であった。
【課題を解決するための手段】
【００１０】
本実施形態の線量管理機能を有する医用装置は、上述した課題を解決するために、人体を３Ｄモデルとして表現した形状の異なる複数のモデルから所要のモデルを設定するモデル設定手段と、放射線の照射条件に基づいて、前記モデル設定手段によって設定されたモデルの体表位置ごとに、第１積算線量の線量分布を求める第１積算線量分布算出手段と、前記第１積算線量の線量分布に関する情報を記憶する記憶手段と、複数の前記第１積算線量の線量分布を積算して、前記モデルの体表位置ごとに、第２積算線量の線量分布を求める第２積算線量分布算出手段と、前記第１積算線量及び前記第２積算線量の線量分布を表示部に表示させる表示手段と、を有する。
【図面の簡単な説明】
【００１１】
【図１】第１実施形態の線量管理機能を有する医用装置の構成を示す概略図。
【図２】第１実施形態の線量管理機能を有する医用装置の機能を示すブロック図。
【図３】モデルＤＢに保管された複数のモデルの例を示す図。
【図４】第１積算線量分布のデータの一例を示す図。
【図５】第１積算線量分布の詳細を説明するための図。
【図６】累計線量分布セットのデータの一例を示す図。
【図７】（Ａ）〜（Ｃ）は、第２積算線量分布の第１の表示例を説明するための図。
【図８】（Ａ）〜（Ｃ）は、第２積算線量分布の第２の表示例を説明するための図。
【図９】（Ａ）〜（Ｃ）は、第２積算線量分布の第３の表示例を説明するための図。
【図１０】（Ａ）〜（Ｄ）は、複数の第１積算線量分布に乗じられる係数をグラフとして示す図。
【図１１】複数の第１積算線量分布に乗じられる係数をグラフとして示す図。
【図１２】条件設定画面の第１例を示す図。
【図１３】条件設定画面の第２例を示す図。
【図１４】条件設定画面の第３例を示す図。
【図１５】再生画面の第１例を示す図。
【図１６】再生画面の第２例を示す図。
【図１７】再生画面の第３例を示す図。
【図１８】再生画面の第４例を示す図。
【図１９】再生画面の第５例を示す図。
【図２０】第１実施形態の線量管理機能を有する医用装置の動作を示すフローチャート。
【図２１】第１実施形態の線量管理機能を有する医用装置の動作を示すフローチャート。
【図２２】第２実施形態の線量管理機能を有する医用装置の構成を示す概略図。
【図２３】第２実施形態の線量管理機能を有する医用装置の機能を示すブロック図。
【発明を実施するための形態】
【００１２】
本実施形態の線量管理機能を有する医用装置について、添付図面を参照して説明する。
【００１３】
（第１実施形態）
図１は、第１実施形態の線量管理機能を有する医用装置の構成を示す概略図である。
【００１４】
図１は、第１実施形態の線量管理機能を有する医用装置１００を示し、医用装置１００は、積算線量表示システム１と、汎用の放射線照射装置５０とを設ける。放射線照射装置５０としては、例えば、Ｘ線診断装置及びＸ線ＣＴ（ｃｏｍｐｕｔｅｄ  ｔｏｍｏｇｒａｐｈｙ）装置などの放射線診断装置（放射線検査装置）や、ガンマカメラなどの放射線治療装置が挙げられる。
【００１５】
積算線量表示システム１は、一般的なコンピュータとしての構成を有する。積算線量表示システム１は、大きくは、制御装置としてのＣＰＵ（ｃｅｎｔｒａｌ  ｐｒｏｃｅｓｓｉｎｇ  ｕｎｉｔ）１１、メモリ１２、ＨＤＤ（ｈａｒｄ  ｄｉｓｃ  ｄｒｉｖｅ）１３、ＩＦ（ｉｎｔｅｒｆａｃｅ）１４、入力部１５、及び表示部１６等の基本的なハードウェアと、モデルＤＢ１７、第１積算線量分布ＤＢ１８、及び累計線量分布セットＤＢ１９とから構成される。ＣＰＵ１１は、共通信号伝送路としてのバスを介して、積算線量表示システム１をそれぞれ構成する各ハードウェア構成要素に相互接続されている。
【００１６】
ＣＰＵ１１は、半導体で構成された電子回路が複数の端子を持つパッケージに封入されている集積回路（ＬＳＩ）の構成をもつ制御装置である。ＣＰＵ１１は、メモリ１２に記憶しているプログラムを実行する。又は、ＣＰＵ１１は、ＨＤＤ１３に記憶しているプログラムや、ネットワークＮから転送されＩＦ１４で受信されてＨＤＤ１３にインストールされたプログラム等を、メモリ１２にロードして実行する機能を有する。
【００１７】
メモリ１２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等を含む記憶装置である。メモリ１２は、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びデータを記憶したり、ＣＰＵ１１のワークメモリやデータの一時的な記憶に用いたりする機能を有する。
【００１８】
ＨＤＤ１３は、磁性体を塗布又は蒸着した金属のディスクが読み取り装置（図示しない）に着脱不能で内蔵されている構成をもつ記憶装置である。ＨＤＤ１３は、積算線量表示システム１にインストールされたプログラム（アプリケーションプログラムの他、ＯＳ（ｏｐｅｒａｔｉｎｇ  ｓｙｓｔｅｍ）等も含まれる）や各種データを記憶する機能を有する。
【００１９】
ＩＦ１４は、パラレル接続仕様やシリアル接続仕様に合わせたコネクタによって構成される。ＩＦ１４は、各規格に応じた通信制御を行ない、ネットワークＮに接続することができる機能を有しており、これにより、積算線量表示システム１をネットワークＮ網に接続させる。
【００２０】
入力部１５としては、操作者によって操作が可能なキーボード及びマウス等によって構成される。入力部１５の操作に従った入力信号はバスを介してＣＰＵ１１に送られる。
【００２１】
表示部１６としては、図示しないＤ／Ａ（ｄｉｇｉｔａｌ  ｔｏ  ａｎａｌｏｇ）変換回路及びモニタ等によって構成される。表示部１６は、後述する第１積算線量分布や、累計線量分布セット等を表示する。
【００２２】
モデルＤＢ１７は、ＨＤＤやメモリによって構成され、人体を３Ｄモデルとして表現した複数のモデル（患者モデル）を保管する。モデルＤＢ１７は、患者（被検体）の身長及び体重の組み合わせに応じた複数のモデル（図３に図示）を保管する。また、モデルＤＢ１７は、患者の身長及び体重に、年齢や性別等を組み合わせた組み合わせに応じた複数の複数のモデルを保管してもよい。
【００２３】
第１積算線量分布ＤＢ１８は、ＨＤＤやメモリによって構成され、患者を識別する患者識別情報（患者ＩＤ）が付帯された３次元の第１積算線量分布のデータを保管する（図４に図示）。
【００２４】
累計線量分布セットＤＢ１９は、ＨＤＤやメモリによって構成され、患者を識別する患者識別情報（患者ＩＤ）が付帯された３次元の累計線量分布セット（複数フレームに係る複数の累計線量分布）のデータを保管する（図５に図示）。
【００２５】
放射線照射装置５０は、一般的なコンピュータとしての構成を有する。放射線照射装置５０は、大きくは、制御装置としてのＣＰＵ５１、メモリ５２、ＨＤＤ５３、ＩＦ５４、入力部５５、及び表示部５６等の基本的なハードウェアと、放射線照射部５７とから構成される。ＣＰＵ５１は、共通信号伝送路としてのバスを介して、放射線照射装置５０をそれぞれ構成する各ハードウェア構成要素に相互接続されている。
【００２６】
ＣＰＵ５１は、積算線量表示システム１のＣＰＵ１１と同一の構成を有する。ＣＰＵ５１は、メモリ５２に記憶しているプログラムを実行する。又は、ＣＰＵ５１は、ＨＤＤ５３に記憶しているプログラムや、ネットワークＮから転送されＩＦ５４で受信されてＨＤＤ５３にインストールされたプログラム等を、メモリ５２にロードして実行する機能を有する。ＣＰＵ５１は、検査／治療時に、放射線照射部５７の動作を制御して放射線を照射させたり、放射線照射部５７から送られる、放射線に基づくデータから画像データを生成したりする。
【００２７】
メモリ５２は、積算線量表示システム１のメモリ１２と同一の構成を有する。メモリ５２は、ＩＰＬ、ＢＩＯＳ及びデータを記憶したり、ＣＰＵ５１のワークメモリやデータの一時的な記憶に用いたりする機能を有する。
【００２８】
ＨＤＤ５３は、積算線量表示システム１のＨＤＤ１３と同一の構成を有する。ＨＤＤ５３は、放射線照射装置５０にインストールされたプログラム（アプリケーションプログラムの他、ＯＳ等も含まれる）や各種データを記憶する機能を有する。
【００２９】
ＩＦ５４は、積算線量表示システム１のＩＦ１４と同一の構成を有する。ＩＦ５４は、各規格に応じた通信制御を行ない、ネットワークＮに接続することができる機能を有しており、これにより、放射線照射装置５０をネットワークＮ網に接続させる。
【００３０】
入力部５５は、積算線量表示システム１の入力部１５と同一の構成を有する。入力部５５の操作に従った入力信号はバスを介してＣＰＵ５１に送られる。
【００３１】
表示部５６は、積算線量表示システム１の表示部１６と同一の構成を有する。表示部５６は、ＣＰＵ５１によって生成された画像データ等を表示する。
【００３２】
放射線照射部５７は、患者に放射線を照射する装置である。ここで、放射線照射装置５０がＸ線診断装置である場合、放射線照射部５７は撮像系、すなわち、高電圧発生部、Ｘ線源、Ｘ線検出器、及び寝台等の一般的な構成を含む。放射線照射装置５０がＸ線ＣＴ装置である場合、放射線照射部５７は撮像系、すなわち、図示しない高電圧発生部、Ｘ線源、Ｘ線検出器、回転部、及び寝台等の一般的な構成を含む。放射線照射装置５０が放射線治療装置である場合、放射線照射部５７は、図示しない高電圧発生部、放射線源、回転部、及び寝台等の一般的な構成を含む。
【００３３】
図２は、第１実施形態の線量管理機能を有する医用装置１００の機能を示すブロック図である。
【００３４】
第１実施形態の医用装置１００を構成するＣＰＵ１１がプログラムを実行することによって、ＣＰＵ１１は、操作支援手段１１ａ、患者情報設定手段１１ｂ、モデル設定手段１１ｃ、受信手段１１ｄ、登録手段１１ｅ、条件設定手段１１ｆ、第１積算線量分布取得手段１１ｇ、第２積算線量分布算出手段１１ｈ、累計線量分布セット取得手段１１ｉ、及び再生手段１１ｊとして機能する。なお、手段１１ａ〜１１ｊがソフトウェアとして機能するものとして説明するが、手段１１ａ〜１１ｊの全部又は一部は、ハードウェアとして積算線量表示システム１に備えられるものであってもよい。
【００３５】
操作支援手段１１ａは、手段１１ｂ〜１１ｊと、入力部１５及び表示部１６とを媒介するＧＵＩ（ｇｒａｐｈｉｃａｌ  ｕｓｅｒ  ｉｎｔｅｒｆａｃｅ）等のインターフェースである。
【００３６】
患者情報設定手段１１ｂは、１検査／１治療に先立って、操作支援手段１１ａを介した入力部１５からの入力、または、ネットワークＮを介した放射線照射装置５０からの入力に基づいて、患者情報（被検体情報）を設定する機能を有する。患者情報は、患者を識別するための患者識別情報（患者ＩＤ）や、患者の身長及び体重を含む。また、患者情報は、患者の性別及び年齢等を含んでもよい。
【００３７】
モデル設定手段１１ｃは、１検査／１治療に先立って、患者情報設定手段１１ｂによって設定された患者情報に従って、モデルＤＢ１７に保管された複数の３次元のモデルから、１のモデルを設定する機能を有する。
【００３８】
図３は、モデルＤＢ１７に保管された複数のモデルの例を示す図である。
【００３９】
図３に示すように、モデルＤＢ１７（図２に図示）には、手を下げた状態の人体を模擬するモデルタイプＴ１について、身長（Ｈｉｇｈｔ）と体重（Ｗｅｉｇｈｔ）との組み合わせに、モデルＮｏとその３次元のモデルとが対応付けられたモデルデータが保管されている。また、モデルＤＢ１７（図２に図示）には、手を上げた状態の人体を模擬するモデルタイプＴ２について、身長と体重との組み合わせに、モデルＮｏとその３次元のモデルとが対応付けられたモデルデータが保管されている。さらに、モデルＤＢ１７（図２に図示）には、手が省略された状態の人体を模擬するモデルタイプＴ３について、身長と体重との組み合わせに、モデルＮｏとその３次元のモデルとが対応付けられたモデルデータが保管されている。
【００４０】
ここで、モデルＤＢ１７（図２に図示）に図３に示す１個のモデルタイプ、例えばモデルタイプＴ１のみが保管されている場合を考える。複数のモデルのうち、患者情報設定手段１１ｂ（図２に図示）によって設定された患者情報に含まれる身長及び体重の組み合わせに応じた１のモデル（モデルＮｏ）が自動的に選択されて設定される（自動設定）。または、複数のモデルのうち、患者情報設定手段１１ｂ（図２に図示）によって設定された患者情報に含まれる身長及び体重の組み合わせに応じた１のモデル（モデルＮｏ）が自動的に選択され、選択された１のモデルが必要に応じて操作者によって変更されて設定される（半自動設定）。または、複数のモデルのうち、患者情報設定手段１１ｂ（図２に図示）によって設定された患者情報に含まれる身長及び体重の組み合わせに応じて操作者によって１のモデル（モデルＮｏ）が選択されて設定される（手動設定）。
【００４１】
次に、モデルＤＢ１７（図２に図示）に図３に示す複数のモデルタイプ、例えば３個のモデルタイプＴ１〜Ｔ３が保管されている場合を考える。３個のモデルタイプＴ１〜Ｔ３から、操作者によって１のモデルタイプ、例えばモデルタイプＴ１が選択される。そして、複数のモデルのうち、患者情報設定手段１１ｂ（図２に図示）によって設定された患者情報に含まれる身長及び体重の組み合わせに応じた１のモデル（モデルＮｏ）が自動的に選択されて設定される（自動設定）。または、複数のモデルのうち、患者情報設定手段１１ｂ（図２に図示）によって設定された患者情報に含まれる身長及び体重の組み合わせに応じた１のモデル（モデルＮｏ）が自動的に選択され、選択された１のモデルが必要に応じて操作者によって変更されて設定される（半自動設定）。または、複数のモデルのうち、患者情報設定手段１１ｂ（図２に図示）によって設定された患者情報に含まれる身長及び体重の組み合わせに応じて操作者によって１のモデル（モデルＮｏ）が選択されて設定される（手動設定）。
【００４２】
図２の説明に戻って、受信手段１１ｄは、放射線照射装置５０を用いた検査／治療の後、ＩＦ１４を介して放射線照射装置５０から、患者情報設定手段１１ｂによって設定された患者情報に相当する患者に対する放射線の照射条件に基づく、当該患者の体表位置（３次元位置）ごとの照射線量の積算（第１積算線量）のデータを取得する機能を有する。第１積算線量は、積算単位、例えば、１検査／１治療、検査の１部分／治療の１部分、または、複数検査／複数治療における照射線量の積算である。以下、積算単位が１検査／１治療の場合を例にとって説明する。
【００４３】
また、受信手段１１ｄは、放射線照射装置５０を用いた検査／治療の後、ＩＦ１４を介して放射線照射装置５０から、患者情報設定手段１１ｂによって設定された患者情報に相当する患者の体表位置（３次元位置）ごとの照射線量の推移（線量推移）のデータを取得する機能を有する。線量推移は、推移単位、例えば、１検査／１治療、検査の１部分／治療の１部分、または、複数検査／複数治療における照射線量の時系列的な推移である。以下、推移単位が１検査／１治療の場合を例にとって説明する。
【００４４】
登録手段１１ｅは、放射線照射装置５０を用いた検査／治療の後、受信手段１１ｄによって受信された実座標系の位置ごとの第１積算線量をモデル座標系の位置ごとの第１積算線量に座標変換する機能を有する。また、登録手段１１ｅは、モデル設定手段１１ｃによって設定されたモデルの体表位置（３次元位置）ごとに、座標変換後の第１積算線量を対応付けた３次元の第１積算線量分布のデータを生成し、第１積算線量分布に患者識別情報及び検査／治療の実施時間情報を付帯して第１積算線量分布ＤＢ１８に登録する機能を有する。
【００４５】
図４は、第１積算線量分布のデータの一例を示す図である。
【００４６】
図４に示すように、第１積算線量分布ＤＢ１８（図２に図示）には、モデルの体表位置ごとにモデル座標系の第１積算線量が対応付けられた第１積算線量分布が保管される。また、各第１積算線量分布には、患者情報に含まれる患者識別情報及び実施時間情報が付帯される。なお、図４では、第１積算線量分布として、モデルの体表位置に第１積算線量がマッピングされたものを保管する場合を示すが、モデルのデータと、体表位置ごとの第１積算線量とを別にもつものであってもよい。
【００４７】
図５は、第１積算線量分布の詳細を説明するための図である。
【００４８】
図５に示すように、モデル座標系の第１積算線量分布は、モデルの体表位置（点）Ｑ１〜Ｑ６の各体表位置における第１積算線量に基づくものである。体表位置Ｑ１〜Ｑ６は、（Ｘ座標、Ｙ座標、Ｚ座標、第１積算線量（ｍＧｙ））の情報を有する。ここで、Ｘ座標とは、患者の左右方向であり、Ｙ座標とは患者の上下方向であり、Ｚ座標とは、患者の体軸方向である。なお、各体表位置における第１積算線量は、モデルとは別に保管されてもよいし、合わせて保管されてもよい。なお、照射線量がない場合（体表位置Ｑ１〜Ｑ６）には、第１積算線量は０ｍＧｙとなる。
【００４９】
図２の説明に戻って、登録手段１１ｅは、放射線照射装置５０を用いた検査／治療の後、受信手段１１ｄによって受信された実座標系の位置ごとの線量推移をモデル座標系の位置ごとの線量推移に座標変換する機能を有する。また、登録手段１１ｅは、モデル設定手段１１ｃによって設定されたモデルの体表位置（３次元位置）ごとに、座標変換後の線量推移に基づく累計線量を対応付けた３次元の累計線量分布セットのデータを生成し、累計線量分布セットに患者識別情報及び検査／治療の実施時間情報を付帯して累計線量分布セットＤＢ１９に登録する機能を有する。累計線量分布セットは、複数フレームに係る複数の累計線量分布によって構成され、各フレームの累計線量分布は、各体表位置に、線量推移に基づく累計線量（各フレームまでの照射線量が累計された値）によって構成される。
【００５０】
図６は、累計線量分布セットのデータの一例を示す図である。
【００５１】
図６に示すように、累計線量分布セットＤＢ１９（図２に図示）には、モデルの体表位置ごとにモデル座標系の累計線量が対応付けられた累計線量分布セット（透視動画）が保管される。また、各累計線量分布セットには、患者情報に含まれる患者識別情報及び実施時間情報が付帯される。なお、図６では、累計線量分布セットの各累計線量分布として、モデルの体表位置に累計線量がマッピングされたものを保管する場合を示すが、モデルのデータと、体表位置ごとの累計線量とを別にもつものであってもよい。また、累計線量分布セットを構成する各累計線量分布は、図５に示す体表位置（点）Ｑ１〜Ｑ６の各体表位置における累計線量に基づくものである。
【００５２】
図２の説明に戻って、条件設定手段１１ｆは、操作支援手段１１ａを介した入力部１５からの入力に基づいて、第２積算線量を表示させたい患者の患者識別情報（患者ＩＤ）の条件と、第２積算線量を表示させたい検査／治療の積算期間条件とを設定する機能を有する。
【００５３】
第１積算線量分布取得手段１１ｇは、第１積算線量分布ＤＢ１８から、条件設定手段１１ｆによって設定された患者識別情報に対応し、かつ、積算期間条件を満たす過去の複数の３次元の第１積算線量分布を取得する（読み出す）機能を有する。
【００５４】
第２積算線量分布算出手段１１ｈは、第１積算線量分布取得手段１１ｇによって取得された複数の第１積算線量分布に基づいて、体表位置ごとに複数の第１積算線量を積算（総和）して複数検査／複数治療（複数の積算単位）に亘る３次元の第２積算線量分布のデータを算出する機能を有する。また、第２積算線量分布算出手段１１ｈは、３次元の第２積算線量分布をレンダリング処理して２次元の第２積算線量分布を生成し、操作支援手段１１ａを介して表示部１６に表示させる機能を有する。
【００５５】
図７（Ａ）〜（Ｃ）は、第２積算線量分布の第１の表示例を説明するための図である。
【００５６】
図７（Ａ）は、図４に示す患者識別情報Ｐ１に対応する３個の第１積算線量分布のうち、積算期間条件を満たす実施時間情報「２０１３／０１／２２」に係る第１の第１積算線量分布（マッピング）を示す。図７（Ｂ）は、図４に示す患者識別情報Ｐ１に対応する３個の第１積算線量分布のうち、積算期間条件を満たす第２の第１積算線量分布（マッピング）を示す。図７（Ｃ）は、図７（Ａ），（Ｂ）の２個の第１積算線量分布に基づく第２積算線量分布（マッピング）の表示例を示す。なお、条件は、実施時間情報が「２０１３／０１／２１」以降から現在までとする。
【００５７】
図７（Ａ）に示す第１の第１積算線量分布に用いられるモデルは、モデルタイプＴ１に相当するモデルＮｏ．８である。同様に、図７（Ｂ）に示す第２の第１積算線量分布に用いられるモデルは、モデルタイプＴ１に相当するモデルＮｏ．８である。すなわち、第１の第１積算線量分布と第２の第１積算線量分布とでは用いられるモデルが共通する。
【００５８】
図７（Ａ），（Ｂ）に示す場合、モデルがモデルＮｏ．８で共通するので、図７（Ａ）に示す第１の第１積算線量分布における複数の体表位置と、図７（Ｂ）に示す第２の第１積算線量分布における複数の体表位置とがそれぞれ一致する。この場合、図７（Ａ）に示す第１の第１積算線量分布と、図７（Ｂ）に示す第２の第１積算線量分布との位置を揃え、揃えられた３次元の第１及び第２の第１積算線量分布における第１積算線量を表示の視線方向において積算（平行投影）することで、図７（Ｃ）に示す表示用の２次元の第２積算線量分布が算出される。または、図７（Ａ）に示す第１の第１積算線量分布と、図７（Ｂ）に示す第２の第１積算線量分布との位置を揃え、揃えられた３次元の第１及び第２の第１積算線量分布における同一位置の第１積算線量を積算した後に２次元投影することで、図７（Ｃ）に示す表示用の２次元の第２積算線量分布が算出される。
【００５９】
なお、図７（Ａ）〜（Ｃ）を用いてモデルが共通する２個の第１積算線量分布から第２積算線量分布を算出する方法を示したが、３個以上の第１積算線量分布から第２積算線量分布を算出する場合でも同様である。
【００６０】
図８（Ａ）〜（Ｃ）は、第２積算線量分布の第２の表示例を説明するための図である。
【００６１】
図８（Ａ）は、積算期間条件を満たす第１の第１積算線量分布（マッピング）を示す。図８（Ｂ）は、積算期間条件を満たす第２の第１積算線量分布（マッピング）を示す。図８（Ｃ）は、図８（Ａ），（Ｂ）の２個の第１積算線量分布に基づく第２積算線量分布（マッピング）の表示例を示す。
【００６２】
図８（Ａ）に示す第１の第１積算線量分布に用いられるモデルは、モデルタイプＴ２に相当するモデルＮｏ．１３である。一方、図８（Ｂ）に示す第２の第１積算線量分布に用いられるモデルは、モデルタイプＴ１に相当するモデルＮｏ．１である。すなわち、第１の第１積算線量分布と第２の第１積算線量分布とでは用いられるモデルは共通しないが患者の体型（モデルの体型）が変化していない。
【００６３】
図８（Ａ），（Ｂ）に示す場合、モデルが共通しないので、図８（Ａ）に示す第１の第１積算線量分布における複数の体表位置と、図８（Ｂ）に示す第２の第１積算線量分布における複数の体表位置とが一致しない。この場合、図８（Ａ）に示す第１の第１積算線量分布と、図８（Ｂ）に示す第２の第１積算線量分布との位置を揃え、揃えられた３次元の第１及び第２の第１積算線量分布における第１積算線量を表示の視線方向において積算（平行投影）することで、図８（Ｃ）に示す表示用の２次元の第２積算線量分布が算出される。
【００６４】
ここで、図８（Ｃ）の表示例では、図８（Ａ）に示す第１の第１積算線量分布に用いられるモデルＮｏ．１３のモデルと、図８（Ｂ）に示す第２の第１積算線量分布に用いられるモデルＮｏ．１のモデルとが視覚的に区別できることが好適である。そこで、図８（Ｃ）の表示例では、例えば、第１の第１積算線量分布に用いられるモデルの外形が破線で、第２の第１積算線量分布に用いられるモデルの外形が実線でそれぞれ示される。
【００６５】
なお、図８（Ａ）〜（Ｃ）を用いてモデルは共通しないが患者の体型（モデルの体型）が変化していない２個の第１積算線量分布から第２積算線量分布を算出する方法を示したが、３個以上の第１積算線量分布から第２積算線量分布を算出する場合でも同様である。
【００６６】
図９（Ａ）〜（Ｃ）は、第２積算線量分布の第３の表示例を説明するための図である。
【００６７】
図９（Ａ）は、積算期間条件を満たす第１の第１積算線量分布（マッピング）を示す。図９（Ｂ）は、積算期間条件を満たす第２の第１積算線量分布（マッピング）を示す。図９（Ｃ）は、図９（Ａ），（Ｂ）の２個の第１積算線量分布に基づく第２積算線量分布（マッピング）の表示例を示す。
【００６８】
図９（Ａ）に示す第１の第１積算線量分布に用いられるモデルは、モデルタイプＴ２に相当するモデルＮｏ．１５である。一方、図９（Ｂ）に示す第２の第１積算線量分布に用いられるモデルは、モデルタイプＴ３に相当するモデルＮｏ．２５である。すなわち、第１の第１積算線量分布と第２の第１積算線量分布とでは用いられるモデルは共通ぜず、かつ、患者の体型（モデルの体型）が変化している。
【００６９】
図９（Ａ），（Ｂ）に示す場合、モデルが共通しないので、図９（Ａ）に示す第１の第１積算線量分布における複数の体表位置と、図９（Ｂ）に示す第２の第１積算線量分布における複数の体表位置とが一致しない。この場合、図９（Ａ）に示す第１の第１積算線量分布と、図９（Ｂ）に示す第２の第１積算線量分布との位置を揃え、揃えられた３次元の第１及び第２の第１積算線量分布における第１積算線量を表示の視線方向において積算（平行投影）することで、図９（Ｃ）に示す表示用の２次元の第２積算線量分布が算出される。
【００７０】
ここで、図９（Ｃ）の表示例では、図９（Ａ）に示す第１の第１積算線量分布に用いられるモデルＮｏ．１５のモデルと、図９（Ｂ）に示す第２の第１積算線量分布に用いられるモデルＮｏ．２５のモデルとが視覚的に区別できることが好適である。そこで、図９（Ｃ）の表示例では、例えば、第１の第１積算線量分布に用いられるモデルの外形が破線で、第２の第１積算線量分布に用いられるモデルの外形が実線でそれぞれ示される。
【００７１】
なお、図９（Ａ）〜（Ｃ）を用いてモデルが共通せず、かつ、患者の体型（モデルの体型）が変化している２個の第１積算線量分布から第２積算線量分布を算出する方法を示したが、３個以上の第１積算線量分布から第２積算線量分布を算出する場合でも同様である。
【００７２】
図２の説明に戻って、第２積算線量分布算出手段１１ｈは、第１積算線量分布取得手段１１ｇによって取得された複数の第１積算線量分布に基づいて、体表位置ごとに複数の第１積算線量を積算する際、複数の第１積算線量分布のそれぞれに係数（線形関数、指数関数、対数関数、またはそれらの組み合わせ等）を乗じて積算することで、重みづけ積算を行なってもよい。係数は、経過時間の短い過去の放射線照射を経過時間の長い過去の放射線照射より重要視するように設定される。また、係数は、治療のための放射線照射を行なう場合に、放射線照射された細胞の回復度合いを考慮に入れるように設定される。
【００７３】
図１０（Ａ）〜図１０（Ｄ）及び図１１は、複数の第１積算線量分布に乗じられる係数をグラフとして示す図である。
【００７４】
図１０（Ａ）〜図１０（Ｄ）及び図１１によると、検査／治療から現在までの経過時間に従って重みづけの係数が変化する。そして、検査／治療から現在までの経過時間が長いほど係数が小さくなる。
【００７５】
重みつけ積算が行なわれる場合、図１０（Ａ）〜図１０（Ｄ）に示すグラフのいずれかが選択され、選択されたグラフに応じて、複数の第１積算線量分布にそれぞれ乗じられる係数が求められる。また、図１０（Ａ）〜図１０（Ｄ）に示すグラフは、適宜、修正することができる。操作支援手段１１ａ（図２に図示）を介した入力部１５（図２に図示）からの入力に基づいて図１０（Ｂ）に示すグラフの点Ｐが図１１に示す点Ｑまでスライドされることで、図１０（Ｂ）に示すグラフが図１１に示すグラフに修正される。
【００７６】
図２の説明に戻って、条件設定手段１１ｆは、操作支援手段１１ａを介した入力部１５からの入力に基づいて検査／治療の積算期間条件を設定する際、患者識別情報に対応する複数の第１積算線量分布に基づく条件設定画面を表示部１６に表示させてもよい。操作者は、表示された条件設定画面上の複数の第１積算線量分布や、各第１積算線量分布から求められる最大第１積算線量（ｐｅａｋ  ｓｋｉｎ  ｄｏｓｅ）［ｍＧｙ］を見ながら条件を設定する。最大第１積算線量とは、各第１積算線量分布のモデル全体の複数の体表位置にそれぞれ対応する複数の第１積算線量の中で、最大のものである。
【００７７】
図１２は、条件設定画面の第１例を示す図である。
【００７８】
図１２は、図４に示す患者識別情報Ｐ１に関する条件設定画面を示す。条件設定画面は、図４に示す患者識別情報Ｐ１に関する３個の第１積算線量分布Ｇ１，Ｇ２，Ｇ３を含む。また、条件設定画面は、３個の第１積算線量分布Ｇ１，Ｇ２，Ｇ３から求められる最大第２積算線量が時系列に並べられたグラフを含む。さらに、グラフは、積算期間条件を選択するためのスライドバーＢａを含む。操作支援手段１１ａ（図２に図示）を介した入力部１５（図２に図示）からの入力に基づいてスライドバーＢａが左右方向にスライドされることで、スライドバーＢａの時間と現在（破線）との間の積算期間条件Ｔを満たす第１積算線量分布（図１２に示す場合２個の第１積算線量分布Ｇ２，Ｇ３）が選択される。
【００７９】
さらに、条件設定画面は、３個の第１積算線量分布Ｇ１，Ｇ２，Ｇ３のうち、積算期間条件Ｔを満たす第１積算線量分布（図１２に示す場合２個の第１積算線量分布Ｇ２，Ｇ３）に基づいて算出される第２積算線量分布を示す領域を含む。操作者は、グラフに含まれるスライドバーＢａのスライドに従った第２積算線量分布を見ながら条件を選択・設定することができる。
【００８０】
なお、第２積算線量分布に含まれるモデルは３次元データであるので、操作支援手段１１ａ（図２に図示）を介した入力部１５（図２に図示）からの入力に基づいて回転可能である。また、グラフの縦軸は、モデル全体の中で最大の第１積算線量である場合に限定されるものではなく、モデル全体の中で最大の第２積算線量であってもよいし、特定領域内における最大の第１積算線量または最大の第２積算線量であってもよいし、照射線量の強さ（ｒａｄｉａｔｉｏｎ  ｒａｔｅ）［ｍＧｙ／ｍｉｎ．］の平均であってもよい。その場合、操作支援手段１１ａ（図２に図示）を介した入力部１５（図２に図示）からの入力に基づいてスライドバーが左右方向にスライドされることで、スライドバーの時間と現在との間の積算期間条件を満たす第１積算線量分布が選択される。さらに、スライドバーの時間と現在との間の積算期間条件を満たす第１積算線量分布に基づいて算出される第２積算線量分布を示す領域が示される。
【００８１】
図１３は、条件設定画面の第２例を示す図である。
【００８２】
図１３は、図４に示す患者識別情報Ｐ１に関する条件設定画面を示す。図１３は、図１２に示す第１の条件設定画面に、図４に示す患者識別情報Ｐ１に関する光学式カメラによる皮膚画像Ｉａと、放射線照射装置５０以外の画像発生装置によって得られた診断画像Ｉｂとが付加された条件設定画面を示す。ここで、皮膚画像Ｉａ及び診断画像Ｉｂは、ネットワークＮ（図１に図示）を介して画像サーバ（図示しない）から取得される。操作者は、第２積算線量や照射線量の強さの平均に併せ、皮膚画像Ｉａや診断画像Ｉｂを見ながら条件を選択・設定することができる。なお、第１の条件設定画面に付加される画像は、患者識別情報Ｐ１に関する過去の診断画像、皮膚画像（光学画像）、カルテ、及び診断レポートのうち少なくとも１の画像であればよい。
【００８３】
なお、第２積算線量分布に含まれるモデルは３次元データであるので、操作支援手段１１ａ（図２に図示）を介した入力部１５（図２に図示）からの入力に基づいて回転可能である。また、グラフの縦軸は、モデル全体の中で最大の第１積算線量である場合に限定されるものではなく、モデル全体の中で最大の第２積算線量であってもよいし、特定領域内における最大の第１積算線量または最大の第２積算線量であってもよいし、照射線量の強さの平均であってもよい。その場合、操作支援手段１１ａ（図２に図示）を介した入力部１５（図２に図示）からの入力に基づいてスライドバーが左右方向にスライドされることで、スライドバーの時間と現在との間の積算期間条件を満たす第１積算線量分布が選択される。さらに、スライドバーの時間と現在との間の積算期間条件を満たす第１積算線量分布に基づいて算出される第２積算線量分布を示す領域が示される。
【００８４】
図１４は、条件設定画面の第３例を示す図である。
【００８５】
図１４は、図４に示す患者識別情報Ｐ１に関する条件設定画面を示す。条件設定画面は、図４に示す患者識別情報Ｐ１に関する３個の第１積算線量分布Ｇ１，Ｇ２，Ｇ３を含む。また、条件設定画面は、３個の第１積算線量分布Ｇ１，Ｇ２，Ｇ３から求められる最大第２積算線量が時系列に並べられたグラフを含む。さらに、グラフは、積算期間条件を選択するための３個のスライドバーＢ１，Ｂ２，Ｂ３を含む。操作支援手段１１ａ（図２に図示）を介した入力部１５（図２に図示）からの入力に基づいてスライドバーＢ１が左右方向にスライドされることで、スライドバーＢ１の時間と現在（破線）との間の積算期間条件Ｔ１を満たす第１積算線量分布（図１４に示す場合１個の第１積算線量分布Ｇ３）が選択される。同様に、スライドバーＢ２が左右方向にスライドされることで、スライドバーＢ２の時間と現在（破線）との間の積算期間条件Ｔ２を満たす第１積算線量分布（図１４に示す場合２個の第１積算線量分布Ｇ２，Ｇ３）が選択される。同様に、スライドバーＢ３が左右方向にスライドされることで、スライドバーＢ３の時間と現在（破線）との間の積算期間条件Ｔ３を満たす第１積算線量分布（図１４に示す場合３個の第１積算線量分布Ｇ１，Ｇ２，Ｇ３）が選択される。
【００８６】
さらに、条件設定画面は、３個の第１積算線量分布Ｇ１，Ｇ２，Ｇ３のうち、積算期間条件Ｔ１を満たす第１積算線量分布（図１４に示す場合１個の第１積算線量分布Ｇ３）に基づいて算出される第２積算線量分布を示す領域を含む。なお、１個の第１積算線量分布Ｇ３に基づく第２積算線量分布は、１個の第１積算線量分布Ｇ３に等しい。同様に、条件設定画面は、３個の第１積算線量分布Ｇ１，Ｇ２，Ｇ３のうち、積算期間条件Ｔ２を満たす第１積算線量分布（図１４に示す場合２個の第１積算線量分布Ｇ２，Ｇ３）に基づいて算出される第２積算線量分布を示す領域を含む。同様に、条件設定画面は、３個の第１積算線量分布Ｇ１，Ｇ２，Ｇ３のうち、積算期間条件Ｔ３を満たす第１積算線量分布（図１４に示す場合３個の第１積算線量分布Ｇ１，Ｇ２，Ｇ３）に基づいて算出される第２積算線量分布を示す領域を含む。操作者は、グラフに含まれるスライドバーＢ１，Ｂ２，Ｂ３のスライドに従った第２積算線量分布を見ながら条件を選択・設定することができる。
【００８７】
図１４に示すように、条件設定画面は、積算期間が最も現在に近い第２積算線量（図１４に示す場合積算期間条件Ｔ１）を拡大して表示し、その他を縮小して表示させることが好適である。
【００８８】
なお、第２積算線量分布に含まれるモデルは３次元データであるので、操作支援手段１１ａ（図２に図示）を介した入力部１５（図２に図示）からの入力に基づいて回転可能である。また、グラフの縦軸は、モデル全体の中で最大の第１積算線量である場合に限定されるものではなく、モデル全体の中で最大の第２積算線量であってもよいし、特定領域内における最大の第１積算線量または最大の第２積算線量であってもよいし、照射線量の強さの平均であってもよい。その場合、操作支援手段１１ａ（図２に図示）を介した入力部１５（図２に図示）からの入力に基づいてスライドバーが左右方向にスライドされることで、スライドバーの時間と現在との間の積算期間条件を満たす第１積算線量分布が選択される。さらに、スライドバーの時間と現在との間の積算期間条件を満たす第１積算線量分布に基づいて算出される第２積算線量分布を示す領域が示される。
【００８９】
さらに、検査部位／治療部位ごとに図１２〜図１４に示す表示方法を変更してもよい。検査部位／治療部位ごとに被曝の影響が出る期間が異なるため、検査部位／治療部位に適した積算期間条件が設定されることで放射線障害を事前に予測できる。または、検査部位／治療部位に適した積算期間条件が設定されることで回避するような検査計画／治療計画が立てられる。例えば、循環器医療に関する放射線被曝ガイドラインでは、水晶体は放射線照射後５年以上経過してから放射線障害を発症する可能性があると示しているので、水晶体を含む検査部位／治療部位に対しては、積算期間条件が最短５年と設定されることが好適である。一方、皮膚は放射線照射後２時間後から放射線障害を発症する可能性があると示しているので、水晶体を含まない限り、全部位に対して積算期間条件が最短２時間と設定されることが好適である。
【００９０】
図２の説明に戻って、累計線量分布セット取得手段１１ｉは、累計線量分布セットＤＢ１９から、条件設定手段１１ｆによって設定された患者識別情報に対応し、かつ、積算期間条件を満たす過去の３次元の累計線量分布セットを取得する（読み出す）機能を有する。
【００９１】
再生手段１１ｊは、累計線量分布セット取得手段１１ｉによって取得された累計線量分布セットを時系列で再生する機能を有する。操作者は、表示された再生画面上の累計線量分布セットや、各フレームの累計線量分布から求められる最大累計線量（ｐｅａｋ  ｓｋｉｎ  ｄｏｓｅ）［ｍＧｙ］を見ながら条件を設定する。最大累計線量は、各フレームにおいて、累計線量分布のモデル全体の複数の体表位置にそれぞれ対応する複数の累計線量の中で、最大のものである。
【００９２】
図１５は、再生画面の第１例を示す図である。
【００９３】
図１５は、図６に示す患者識別情報Ｐ１に関する再生画面を示す。再生画面は、図６に示す患者識別情報Ｐ１に関する３個の累計線量分布セット（透視動画）Ａ１，Ａ２，Ａ３を含む。また、再生画面は、任意の累計線量分布セットＡ３の再生領域を含む。さらに、再生画面は、累計線量分布セットＡ３から求められ、累計線量分布セットＡ３の再生に連動してリアルタイムの最大累計線量が示される。加えて、再生画面は、累計線量分布セットＡ３から求められ、累計線量分布セットＡ３の再生に連動してリアルタイムのＦＯＶ最大累計線量が示される。ＦＯＶ最大累計線量とは、各フレームにおいて、ＦＯＶ（ｆｉｅｌｄ  ｏｆ  ｖｉｅｗ）内の複数の体表位置にそれぞれ対応する複数の累計線量の中で最大のものである。
【００９４】
なお、再生される累計線量分布セットＡ３に含まれるモデルは３次元データであるので、操作支援手段１１ａ（図２に図示）を介した入力部１５（図２に図示）からの入力に基づいて回転可能である。
【００９５】
また、再生領域の下側には、累計線量分布セットＡ３における検査開始／治療開始から検査終了／治療終了までの実時間を示し、累計線量分布セットＡ１の再生タイミングを調整するためのシークバーＳＢとスライダＳＤとが示される。また、累計線量分布セットＤＢ１９（図２に図示）に保管される累計線量分布セットに透視時間を示す時間帯の情報と、撮影タイミングを示すタイミングの情報とを付帯させることで、シークバーＳＢに、透視時間を示す時間帯ＴＦと、撮影タイミングを示すタイミングＴＩとを示すこともできる。その場合、操作者は、時間帯ＴＦやタイミングＴＩに合わせてスライダＳＤをシークバーＳＢに沿ってスライドさせることで、累計線量分布セットＡ３の中の任意のフレーム付近の累計線量分布と、そのフレームにおける最大累計線量を再生画面上で確認することができる。なお、累計線量分布セットＡ３の再生速度が変更可能なような構成であってもよい。
【００９６】
また、図示しないが、シークバーＳＢに、最大累計線量の情報を示すこともできる。その場合、シークバーＳＢに、各フレームにおける最大累計線量に対応した色彩を付加することができる。例えば、シークバーＳＢの左側には低い最大累計線量に対応する青色が付加され、右側に進むに従って増加する最大累計線量に合わせて青色が赤色に変化するような色彩が付加される。
【００９７】
図１６は、再生画面の第２例を示す図である。
【００９８】
図１６は、図６に示す患者識別情報Ｐ１に関する再生画面を示す。再生画面は、図６に示す患者識別情報Ｐ１に関する３個の累計線量分布セット（透視動画）Ａ１，Ａ２，Ａ３のうち任意の累計線量分布セット（図１６では累計線量分布セットＡ３）について任意のフレーム（キーフレーム）における累計線量分布（図１６では３個のフレームにおける３個の累計線量分布）を含む。
【００９９】
また、再生画面は、任意の累計線量分布セットＡ３における最大累計線量の時系列推移を示すグラフを含む。さらに、グラフは、任意のフレームを選択するためのスライドバー（図１６では３個のスライドバーＢ４，Ｂ５，Ｂ６）を含む。操作支援手段１１ａ（図２に図示）を介した入力部１５（図２に図示）からの入力に基づいて３個のスライドバーＢ４，Ｂ５，Ｂ６が左右方向にそれぞれスライドされることで、累計線量分布セットＡ３について表示フレームが変更され、累計線量分布が変更される。
【０１００】
なお、再生される累計線量分布セットＡ３に含まれる累計線量分布のモデルは３次元データであるので、操作支援手段１１ａ（図２に図示）を介した入力部１５（図２に図示）からの入力に基づいて回転可能である。また、グラフの縦軸は、各フレームにおけるモデル全体の中の最大累計線量である場合に限定されるものではなく、各フレームにおける特定領域内における最大累計線量（ＦＯＶ最大累計線量）であってもよいし、各フレームにおける照射線量の強さ（ｒａｄｉａｔｉｏｎ  ｒａｔｅ）［ｍＧｙ／ｍｉｎ．］であってもよい。その場合、操作支援手段１１ａ（図２に図示）を介した入力部１５（図２に図示）からの入力に基づいてスライドバーが左右方向にスライドされることで、スライドバーに応じた累計線量分布が表示される。
【０１０１】
図１７は、再生画面の第３例を示す図である。
【０１０２】
図１７は、図１６に示す再生画面の第２例において、操作支援手段１１ａ（図２に図示）を介した入力部１５（図２に図示）からの入力に基づいて、３個のスライドバーＢ４，Ｂ５，Ｂ６のうち、任意のスライドバー（図１７ではスライドバーＢ５）にマウスポインタを合わせて選択（クリック）した場合の再生画面を示す。このような構成とすることで、容易にキーフレームの累計線量分布を拡大表示することができる。
【０１０３】
図１７に示す再生画面において、スライドバーは、フレーム間で最大累計線量の変化が閾値以上であるフレームに自動的に合わせられ、当該フレームに対応する累計線量分布が表示されることが好適である。
【０１０４】
図１８は、再生画面の第４例を示す図である。
【０１０５】
図１８は、図６に示す患者識別情報Ｐ１に関する再生画面を示す。再生画面は、図６に示す患者識別情報Ｐ１に関する３個の累計線量分布セット（透視動画）Ａ１，Ａ２，Ａ３のうち任意の累計線量分布セット（図１８では累計線量分布セットＡ３）を含む。さらに、再生画面は、累計線量分布セットＡ３から求められ、累計線量分布セットＡ３の再生に連動してリアルタイムの最大累計線量が示される。加えて、再生画面は、累計線量分布セットＡ３から求められ、累計線量分布セットＡ３の再生に連動してリアルタイムのＦＯＶ最大累計線量が示される。
【０１０６】
また、再生画面は、任意の累計線量分布セットＡ３における照射線量の強さの時系列推移を示すグラフを含む。また、累計線量分布セットＤＢ１９（図２に図示）に保管される累計線量分布セットに撮影タイミングを示すタイミングの情報を付帯させることで、グラフに、撮影タイミングを示すタイミングＴＩを示すこともできる。撮影時には、照射線量の強さが急激に高くなる。操作支援手段１１ａ（図２に図示）を介した入力部１５（図２に図示）からの入力に基づいてタイミングＴＩにマウスポインタが合わせられて選択（クリック）されることで、累計線量分布セットＡ３について表示フレームが変更され、タイミングＴＩのフレームに累計線量分布が変更される。
【０１０７】
なお、再生される累計線量分布セットＡ３に含まれるモデルは３次元データであるので、操作支援手段１１ａ（図２に図示）を介した入力部１５（図２に図示）からの入力に基づいて回転可能である。
【０１０８】
図１９は、再生画面の第５例を示す図である。
【０１０９】
図１９は、図６に示す患者識別情報Ｐ１に関する再生画面を示す。再生画面は、図６に示す患者識別情報Ｐ１に関する３個の累計線量分布セット（透視動画）Ａ１，Ａ２，Ａ３のうち任意の累計線量分布セット（図１９では累計線量分布セットＡ３）を含む。さらに、再生画面は、累計線量分布セットＡ３から求められ、累計線量分布セットＡ３の再生に連動してリアルタイムの最大累計線量が示される。加えて、再生画面は、累計線量分布セットＡ３から求められ、累計線量分布セットＡ３の再生に連動してリアルタイムのＦＯＶ最大累計線量が示される。
【０１１０】
また、累計線量分布セットＤＢ１９（図２に図示）に保管される累計線量分布セットに、検査時／治療時の撮影方向（Ｘ線源の位置）の情報を付帯させることで、累計線量分布セットに、撮影方向ＥＡや、照射野を模した照射野モデルＥＭを示すこともできる。撮影方向ＥＡや照射野モデルＥＭは、フレームの変動に応じて適宜変動する。
【０１１１】
なお、医用装置１００は、第２積算線量分布算出手段１１ｈ（図２に図示）によって算出された第２積算線量分布が、ネットワークＮ（図１に図示）を介して接続されるコンピュータ（ノートＰＣ等）のブラウザで閲覧されるように構成されてもよい。
【０１１２】
続いて、図１、図２０、及び図２１を用いて第１実施形態の線量管理機能を有する医用装置１００の動作について説明する。
【０１１３】
図２０及び図２１は、第１実施形態の線量管理機能を有する医用装置１００の動作を示すフローチャートである。
【０１１４】
図１及び図２０を用いて説明すると、医用装置１００は、検査／治療に先立って、入力部１５からの入力に基づいて、患者情報（被検体情報）を設定する（ステップＳＴ１）。医用装置１００は、検査／治療に先立って、ステップＳＴ１によって設定された患者情報に従って、モデルＤＢ１７に保管された複数の３次元のモデルから、１のモデルを設定する（ステップＳＴ２）。ステップＳＴ２におけるモデルの設定方法については、図３を用いて説明した。
【０１１５】
次いで、医用装置１００は、検査／治療の後、ＩＦ１４を介して放射線照射装置５０から、ステップＳＴ１によって設定された患者情報に相当する患者の体表位置ごとの第１積算線量のデータと、体表位置ごとの線量推移のデータを受信する（ステップＳＴ３）。医用装置１００は、検査／治療の後、ステップＳＴ２によって設定されたモデルの体表位置ごとに、ステップＳＴ３によって受信された第１積算線量を対応付けた３次元の第１積算線量分布のデータ（図４に図示）を生成し（ステップＳＴ４）、第１積算線量分布に患者識別情報及び実施時間情報を付帯して第１積算線量分布ＤＢ１８に登録する（ステップＳＴ５）。ステップＳＴ５による第１積算線量分布の登録が繰り返されることで、第１積算線量分布ＤＢ１８には、複数患者について、各患者に対応する過去の複数の第１積算線量分布が保管されることになる。
【０１１６】
また、医用装置１００は、検査／治療の後、ステップＳＴ２によって設定されたモデルの体表位置ごとに、ステップＳＴ３によって受信された線量推移に基づく累計線量を対応付けた３次元の累計線量分布セットのデータ（図６に図示）を生成し（ステップＳＴ６）、累計線量分布セットに患者識別情報及び実施時間情報を付帯して累計線量分布セットＤＢ１９に登録する（ステップＳＴ７）。ステップＳＴ７による累計線量分布セットの登録が繰り返されることで、累計線量分布セットＤＢ１９には、複数患者について、各患者に対応する過去の複数の累計線量分布セットが保管されることになる。
【０１１７】
図１及び図２１を用いて説明すると、医用装置１００は、入力部１５からの入力に基づいて患者識別情報（患者ＩＤ）及び積算期間条件を設定する（ステップＳＴ８）。医用装置１００は、第１積算線量分布ＤＢ１８から、ステップＳＴ８によって設定された患者識別情報及び積算期間条件に対応する複数の３次元の第１積算線量分布を取得する（ステップＳＴ９）。なお、ステップＳＴ８による積算期間条件の設定は、図１２〜図１４に示す条件設定画面上で設定可能である。
【０１１８】
次いで、医用装置１００は、ステップＳＴ９によって取得された複数の第１積算線量分布に基づいて、体表位置ごとに複数の第１積算線量を積算して複数検査／複数治療に亘る３次元の第２積算線量分布を算出する（ステップＳＴ１０）。医用装置１００は、ステップＳＴ１０において、複数の第１積算線量分布のそれぞれに係数を乗じて積算することで、重みづけ積算を行なってもよい。また、医用装置１００は、ステップＳＴ１０によって算出された３次元の第２積算線量分布をレンダリング処理して２次元の第２積算線量分布を生成し、表示部１６に表示させる（ステップＳＴ１１）。ステップＳＴ１１による表示方法及び表示例は、図６〜図８を用いて説明した。
【０１１９】
なお、フローチャートを用いては説明しないが、医用装置１００は、ステップＳＴ９において、累計線量分布セットＤＢ１９から、ステップＳＴ８によって設定された患者識別情報及び積算期間条件に対応する３次元の累計線量分布セットを取得してもよい。その場合、図１５〜図１９の再生画面に従った表示が行なわれる。
【０１２０】
以上のように、第１実施形態の線量管理機能を有する医用装置１００によると、第２積算線量の対象となる積算期間（積算単位の数）条件を設定することで、正確に精度よく放射線の第２積算線量を表示することができる。これにより、第１実施形態の線量管理機能を有する医用装置１００によると、医師や技師等の操作者が、患者の検査計画時／治療計画時に局所被曝を避けるためにどの方向から患者に放射線を照射すべきかを判断できるので、患者への局所被曝を低減させることができる。また、第１実施形態の線量管理機能を有する医用装置１００によると、操作者が、自らや他者の検査／治療における放射線の当て方（方向）が適切であるかどうかを復習することができる。
【０１２１】
また、第１実施形態の線量管理機能を有する医用装置１００によると、第２積算線量の表示とともに、累計線量分布セットを動画再生することで、積算線量の判断が操作者にとって容易になる。さらに、第１実施形態の線量管理機能を有する医用装置１００によると、操作者が、自らや他者の検査／治療における放射線の当て方（方向）が適切であるかどうかを復習することができる。
【０１２２】
（第２実施形態）
図２２は、第２実施形態の線量管理機能を有する医用装置の構成を示す概略図である。
【０１２３】
図２２は、第２実施形態の線量管理機能を有する医用装置１００Ａを示し、医用装置１００Ａは、放射線照射装置６０を設ける。放射線照射装置６０としては、例えば、Ｘ線診断装置及びＸ線ＣＴ装置などの放射線診断装置や、ガンマカメラなどの放射線治療装置が挙げられる。放射線照射装置６０は、一般的なコンピュータとしての構成を有する。放射線照射装置６０は、大きくは、制御装置としてのＣＰＵ５１、メモリ５２、ＨＤＤ５３、ＩＦ５４、入力部５５、及び表示部５６等の基本的なハードウェアと、モデルＤＢ１７、第１積算線量分布ＤＢ１８、累計線量分布セットＤＢ１９、及び放射線照射部５７とから構成される。ＣＰＵ５１は、共通信号伝送路としてのバスを介して、放射線照射装置５０をそれぞれ構成する各ハードウェア構成要素に相互接続されている。
【０１２４】
なお、図２２に示す医用装置１００Ａにおいて、図１に示す医用装置１００と同一部材には同一符号を付して説明を省略する。
【０１２５】
図２３は、第２実施形態の線量管理機能を有する医用装置の機能を示すブロック図である。
【０１２６】
第２実施形態の医用装置１００Ａを構成するＣＰＵ５１がプログラムを実行することによって、ＣＰＵ５１は、操作支援手段１１ａ´、患者情報設定手段１１ｂ、モデル設定手段１１ｃ、登録手段１１ｅ´、条件設定手段１１ｆ、第１積算線量分布取得手段１１ｇ、第２積算線量分布算出手段１１ｈ、累計線量分布セット取得手段１１ｉ、及び再生手段１１ｊとして機能する。なお、手段１１ａ´〜１１ｃ，１１ｅ´〜１１ｊがソフトウェアとして機能するものとして説明するが、手段１１ａ´〜１１ｃ，１１ｅ´〜１１ｊの全部又は一部は、ハードウェアとして放射線照射装置６０に備えられるものであってもよい。
【０１２７】
なお、図２３に示す医用装置１００Ａにおいて、図２に示す医用装置１００と同一部材には同一符号を付して説明を省略する。
【０１２８】
操作支援手段１１ａ´は、手段１１ｂ〜１１ｃ，１１ｅ´〜１１ｊと、入力部５５及び表示部５６とを媒介するＧＵＩ等のインターフェースである。
【０１２９】
登録手段１１ｅ´は、検査／治療の後、モデル設定手段１１ｃによって設定されたモデルの体表位置ごとに、患者情報設定手段１１ｂによって設定された患者情報に相当する患者の第１積算線量を対応付けた第１積算線量分布のデータを生成し、第１積算線量分布に患者識別情報及び実施時間情報を付帯して第１積算線量分布ＤＢ１８に登録する機能を有する。また、登録手段１１ｅ´は、検査／治療の後、モデル設定手段１１ｃによって設定されたモデルの体表位置ごとに、患者情報設定手段１１ｂによって設定された患者情報に相当する患者の線量推移に基づく累計線量を対応付けた３次元の累計線量分布セットのデータを生成し、累計線量分布セットに患者識別情報及び実施時間情報を付帯して累計線量分布セットＤＢ１９に登録する機能を有する。
【０１３０】
なお、医用装置１００Ａは、第２積算線量分布算出手段１１ｈによって算出された第２積算線量分布が、ネットワークＮ（図２２に図示）を介して接続されるコンピュータ（ノートＰＣ等）のブラウザで閲覧されるように構成されてもよい。
【０１３１】
また、第２実施形態の医用装置１００Ａの動作は、図２０及び図２１に示すフローチャートで示した医用装置１００の動作に類似するため、説明を省略する。図２０及び図２１に示す医用装置１００の動作では積算線量表示システム１が主体となるが、医用装置１００Ａの動作では、放射線照射装置６０が主体となる。
【０１３２】
以上のように、第２実施形態の線量管理機能を有する医用装置１００Ａによると、第２積算線量の対象となる積算期間条件を設定することで、正確に精度よく放射線の第２積算線量を表示することができる。これにより、第２実施形態の線量管理機能を有する医用装置１００Ａによると、医師や技師等の操作者が、患者の検査計画時／治療計画時に局所被曝を避けるためにどの方向から患者に放射線を照射すべきかを判断できるので、患者への局所被曝を低減させることができる。また、第２実施形態の線量管理機能を有する医用装置１００Ａによると、操作者が、自らや他者の検査／治療における放射線の当て方（方向）が適切であるかどうかを復習することができる。
【０１３３】
また、第２実施形態の線量管理機能を有する医用装置１００Ａによると、第２積算線量の表示とともに、累計線量分布セットを動画再生することで、積算線量の判断が操作者にとって容易になる。さらに、第２実施形態の線量管理機能を有する医用装置１００Ａによると、操作者が、自らや他者の検査／治療における放射線の当て方（方向）が適切であるかどうかを復習することができる。
【０１３４】
（第１変形例）
図２に示す医用装置１００や図２３に示す医用装置１００Ａにおいて、第２積算線量分布算出手段１１ｈは、第１積算線量分布取得手段１１ｇによって取得された複数の第１積算線量分布が異なる複数のモデル（第１モデル及び第２モデル）を含む場合、第１モデルにおける解剖学的ランドマークを抽出して、第２モデルにおける解剖学的ランドマークに位置合わせする。そして、第２積算線量分布算出手段１１ｈは、位置合わせに従って変化後の第１積算線量分布と第２モデルに係る第１積算線量分布とを体表位置ごとに積算する。
【０１３５】
または、第２積算線量分布算出手段１１ｈは、第１積算線量分布取得手段１１ｇによって取得された複数の第１積算線量分布が異なる複数のモデルを含む場合、複数のモデルを非剛体位置合わせすることで、位置合わせに従って変化後の複数の第１積算線量分布を体表位置ごとに積算する。
【０１３６】
または、第２積算線量分布算出手段１１ｈは、予め、標準モデルと、各モデルの標準モデルへの変換係数を有する。そして、第２積算線量分布算出手段１１ｈは、第１積算線量分布取得手段１１ｇによって取得された異なる複数の第１積算線量分布が複数のモデル（第１モデル及び第２モデル）を含む場合、第１及び第２モデルを変換係数により標準モデルにそれぞれ変換する。そして、第２積算線量分布算出手段１１ｈは、変換に従って変化後の複数の第１積算線量分布を体表位置ごとに積算して仮の第２積算線量分布を算出する。さらに、第２積算線量分布算出手段１１ｈは、標準モデルを第１モデル（または第２モデル）に逆変換することで、逆変換に従って変化後の仮の第２積算線量分布を第２積算線量分布として算出する。
【０１３７】
以上のように、医用装置１００，１００Ａの第１変形例によると、医用装置１００，１００Ａの効果に加え、複数の積算単位間（例えば、複数の検査間や複数の治療間）で異なるモデルがそれぞれ選択可能な構成である場合でも、上述した医用装置１００，１００Ａより正確に精度よく放射線の第２積算線量を表示することができる。
【０１３８】
（第２変形例）
図２に示す医用装置１００や図２３に示す医用装置１００Ａにおいて、モデル設定手段１１ｃは、検査／治療に先立って、患者情報設定手段１１ｂによって設定された患者情報に係るモデルを、当該患者情報に含まれる患者識別情報に対応する過去のモデルから選択して設定する。モデル設定手段１１ｃは、第１積算線量分布ＤＢ１８に保管された第１積算線量分布におけるモデルから、患者情報設定手段１１ｂによって設定された患者情報に含まれる患者識別情報に対応する過去のモデルを選択して設定する。
【０１３９】
以上のように、医用装置１００，１００Ａの第２変形例によると、医用装置１００，１００Ａの効果に加え、複数の積算単位間（例えば、複数の検査間や複数の治療間）で異なるモデルがそれぞれ選択可能な構成である場合でも、過去の検査や治療に合わせたモデルを優先的に選択して設定することで、正確に精度よく放射線の第２積算線量を表示することができる。
【０１４０】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１４１】
１００，１００Ａ  線量管理機能を有する医用装置
１  積算線量表示システム
１１  ＣＰＵ
１１ａ，１１ａ´  操作支援手段
１１ｂ  患者情報設定手段
１１ｃ  モデル設定手段
１１ｄ  受信手段
１１ｅ，１１ｅ´  登録手段
１１ｆ  条件設定手段
１１ｇ  第１積算線量分布取得手段
１１ｈ  第２積算線量分布算出手段
１１ｉ  累計線量分布セット取得手段
１１ｊ  再生手段
１７  モデルＤＢ
１８  第１積算線量分布ＤＢ
１９  累計線量分布セットＤＢ
６０  放射線照射装置
【図１】
2015100417.tif 000003
【図２】
2015100417.tif 000004
【図３】
2015100417.tif 000005
【図４】
2015100417.tif 000006
【図５】
2015100417.tif 000007
【図６】
2015100417.tif 000008
【図１０】
2015100417.tif 000009
【図１１】
2015100417.tif 000010
【図２０】
2015100417.tif 000011
【図２１】
2015100417.tif 000012
【図２２】
2015100417.tif 000013
【図２３】
2015100417.tif 000014
【図７】
2015100417.tif 000015
【図８】
2015100417.tif 000016
【図９】
2015100417.tif 000017
【図１２】
2015100417.tif 000018
【図１３】
2015100417.tif 000019
【図１４】
2015100417.tif 000020
【図１５】
2015100417.tif 000021
【図１６】
2015100417.tif 000022
【図１７】
2015100417.tif 000023
【図１８】
2015100417.tif 000024
【図１９】
2015100417.tif 000025